(57)【要約】【課題】比較的に簡単な構成で、よりセンサ感度の高い振動センサ及びそれを備えた遊戯機を提供する。【解決手段】振動センサ１０は、筐体１と、筐体１に収納される回路基板２と、振動子３と、を備える。回路基板２は、振動子３の振動を検知する振動検知回路を有している。振動子３は、筐体１の長手方向に沿った両端部のうち、一端部に配置される。筐体１は、ボディ本体１ａと、一対の取付部１ｂと、を有している。一対の取付部１ｂは、ボディ本体１ａにおける長手方向の中央部に設けられ、かつボディ本体１ａにおける短手方向の両端から互いに反対方向に突出している。筐体１は、一対の取付部１ｂからボディ本体１ａの長手方向に沿った両端縁に向かうほど、外底面１ａｃが取付面１ｂｃを凸とするように湾曲する。【選択図】図１
2018031673.tif 000002
【特許請求の範囲】
【請求項１】
長尺の筐体と、
前記筐体の内部に収納される回路基板と、
前記回路基板と対向して配置され前記回路基板の厚み方向に沿って振動する板状の振動子と、を備え、
前記回路基板は、前記回路基板と前記振動子との距離の変化に基づいて、前記振動子の振動を検知する振動検知回路を有し、
前記振動子は、前記筐体の長手方向に沿った両端部のうち一端部に配置され、
前記筐体は、一面に開口を有する箱状で前記回路基板が内底面に対向して配置される長尺のボディ本体と、被取付面に取り付けられる一対の取付部と、を有しており、
前記一対の取付部は、前記ボディ本体における長手方向の中央部、かつ前記ボディ本体における短手方向の両端から互いに反対方向に突出しており、
前記一対の取付部それぞれは、取付面が前記ボディ本体の外底面と連なるように形成され、
前記筐体は、前記一対の取付部から前記ボディ本体の長手方向に沿った両端縁に向かうほど、前記外底面が前記取付面を凸とするように湾曲する振動センサ。
【請求項２】
前記筐体の外部の電線と電気的に接続され前記振動検知回路からの検知信号を前記電線に出力する接続端子を備え、
前記接続端子は、前記筐体の長手方向における前記一端部と反対の他端部に配置され、
前記筐体と前記回路基板と前記振動子と前記接続端子とを含む全体の重心は、平面視において、前記筐体の長手方向の中央よりも前記他端部寄りに存在する請求項１に記載の振動センサ。
【請求項３】
前記ボディ本体の前記開口を覆う蓋を備え、
前記蓋は、前記筐体に固定される一対の固定部を有し、
前記一対の固定部は、平面視において、対応する前記一対の取付部と重複して配置される請求項１または請求項２に記載の振動センサ。
【請求項４】
前記一対の固定部と、対応する前記一対の取付部とをねじ止めするねじを備え、
前記蓋は、平板状であり、前記ボディ本体の前記開口を覆った状態で、前記ボディ本体の前記両端縁と当たり、かつ前記ボディ本体の前記中央部との間に隙間を形成し、
前記蓋は、前記ねじのねじ締めにより、前記一対の固定部と前記一対の取付部との距離に応じて、前記ボディ本体における前記外底面の曲率を変更する請求項３に記載の振動センサ。
【請求項５】
請求項１から請求項４の何れか１項に記載の前記振動センサと、前記振動センサが取り付けられる本体と、を備えた遊戯機。
【発明の詳細な説明】
【技術分野】
【０００１】
本発明は、振動センサ及びそれを備えた遊戯機に関する。
【背景技術】
【０００２】
近年、遊戯機には、振動センサが備えられる場合がある。振動センサは、例えば、遊戯機に加えられた衝撃を検知することで、不正行為の有無の判定に利用される。
【０００３】
この種の振動センサに利用できる構成としては、ケースと、ケース内に設けられる球体と、球体の移動によって変位させられる可動接点部材と、固定接点部材と、を備えた構成が知られている（例えば、特許文献１を参照）。
【０００４】
特許文献１の構成では、ケースは、上側が開口され、下側が有底とされており内部底面がその中心を最低点とした昇り勾配の斜面となっている。特許文献１の構成では、外部振動が発生すると、ケースの底面の中心に位置していた球体が底面を昇り移動する。球体は、可動接点部材を押圧することで、可動接点部材と固定接点部材が接触する。
【０００５】
特許文献１の構成では、可動接点部材と固定接点部材とが接触することで変化する電位を信号として出力する。
【先行技術文献】
【特許文献】
【０００６】
【特許文献１】特開平１１−１９０６５７号公報
【発明の概要】
【発明が解決しようとする課題】
【０００７】
ところで、振動センサは、比較的に簡単な構成で、よりセンサ感度の高い構成が求められており、上述の特許文献１の構成を利用するだけでは、十分ではなく、更なる改良が求められている。
【０００８】
本発明の目的は、比較的に簡単な構成で、よりセンサ感度の高い振動センサ及びそれを備えた遊戯機を提供することにある。
【課題を解決するための手段】
【０００９】
本発明に係る一態様の振動センサは、筐体と、回路基板と、振動子と、を備える。上記筐体は、長尺に形成される。上記回路基板は、上記筐体の内部に収納される。上記振動子は、板状の外形形状をしている。上記振動子は、上記回路基板と対向して配置される。上記振動子は、上記回路基板の厚み方向に沿って振動する。上記回路基板は、振動検知回路を有している。上記振動検知回路は、上記回路基板と上記振動子との距離の変化に基づいて、上記振動子の振動を検知する。上記振動子は、上記筐体の長手方向に沿った両端部のうち、一端部に配置される。上記筐体は、ボディ本体と、一対の取付部と、を有している。上記ボディ本体は、長尺に形成される。上記ボディ本体は、一面に開口を有する箱状の外形形状をしている。上記ボディ本体は、上記回路基板が内底面に対向して配置される。一対の取付部は、被取付面に取り付けられる。上記一対の取付部は、上記ボディ本体における長手方向の中央部に設けられる。上記一対の取付部は、上記ボディ本体における短手方向の両端から互いに反対方向に突出している。上記一対の取付部それぞれは、取付面が上記ボディ本体の外底面と連なるように形成される。上記筐体は、上記一対の取付部から上記ボディ本体の長手方向に沿った両端縁に向かうほど、上記外底面が上記取付面を凸とするように湾曲する。
【００１０】
本発明の遊戯機は、上述の上記振動センサと、本体と、を備える。上記本体は、上記振動センサが取り付けられる。
【発明の効果】
【００１１】
本発明の振動センサは、比較的に簡単な構成で、よりセンサ感度を高くできる。
【００１２】
本発明の遊戯機は、比較的に簡単な構成で、よりセンサ感度の高い振動センサを備えた構成にできる。
【図面の簡単な説明】
【００１３】
【図１】図１は、本発明の実施形態１に係る振動センサを示す正面側の分解斜視図である。
【図２】図２は、同上の振動センサを示す背面側の分解斜視図である。
【図３】図３は、同上の振動センサを示し、図３Ａは、平面図、図３Ｂは、正面図、図３Ｃは、背面図、図３Ｄは、側面図、図３Ｅは、底面図である。
【図４】図４は、同上の振動センサを示す縦断面図である。
【図５】図５は、同上の振動センサを備えた遊戯機を示す模式図である。
【図６】図６は、本発明の実施形態２に係る振動センサを示す斜視図である。
【図７】図７は、同上の振動センサの組立工程を示す側面図である。
【発明を実施するための形態】
【００１４】
（実施形態１）
以下では、本実施形態の振動センサ１０を、図１から図４に基づいて説明する。振動センサ１０を備えた遊戯機２０を、図５に基づいて説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材が複数の要素を兼ねる態様としてもよいし、逆に一の部材の機能を複数の部材で分担して実現してもよい。
【００１５】
本実施形態の振動センサ１０は、図１から図４に示すように、筐体１と、回路基板２と、振動子３と、を備える。筐体１は、長尺に形成される。回路基板２は、筐体１の内部に収納される。振動子３は、板状の外形形状をしている。振動子３は、回路基板２と対向して配置される。振動子３は、回路基板２の厚み方向に沿って振動する。回路基板２は、振動検知回路を有している。振動検知回路は、回路基板２と振動子３との距離の変化に基づいて、振動子３の振動を検知する。振動子３は、筐体１の長手方向に沿った両端部のうち、一端部に配置される。筐体１は、ボディ本体１ａと、一対の取付部１ｂと、を有している。ボディ本体１ａは、長尺に形成される。ボディ本体１ａは、一面に開口１ａａを有する箱状の外形形状をしている。ボディ本体１ａは、回路基板２が内底面１ａｂに対向して配置される。一対の取付部１ｂは、被取付面２１ａａに取り付けられる。一対の取付部１ｂは、ボディ本体１ａにおける長手方向の中央部に設けられる。一対の取付部１ｂは、ボディ本体１ａにおける短手方向の両端から互いに反対方向に突出している。一対の取付部１ｂそれぞれは、取付面１ｂｃがボディ本体１ａの外底面１ａｃと連なるように形成される。筐体１は、一対の取付部１ｂからボディ本体１ａの長手方向に沿った両端縁に向かうほど、外底面１ａｃが取付面１ｂｃを凸とするように湾曲する。
【００１６】
本実施形態の振動センサ１０は、外底面１ａｃが取付面１ｂｃを凸とするように湾曲する比較的に簡単な構成で、衝撃が加わった際に振動子３に衝撃を伝え易くなり、よりセンサ感度を高くできる。
【００１７】
以下では、本実施形態の振動センサ１０について、より詳細に説明する。
【００１８】
振動センサ１０は、筐体１と回路基板２と振動子３とに加え、接続端子４と、蓋５と、を備える。回路基板２には、複数の回路素子２ｅが実装される。
【００１９】
筐体１は、図１及び図２に示すように、ボディ本体１ａと、一対の取付部１ｂと、を有する。ボディ本体１ａは、有底角筒状の外形形状をしている。ボディ本体１ａは、底壁１ｃと、第１側壁１ｄと、一対の第２側壁１ｅと、複数の第１リブ１ｈと、を有している。ボディ本体１ａは、第１側壁１ｄと対向する側壁が設けられていない。言い換えれば、筐体１は、長手方向の一端部と反対の他端部に切込口１ｃｃが設けられる。
【００２０】
底壁１ｃは、長尺に形成される。底壁１ｃは、矩形板状の外形形状をしている。底壁１ｃは、ボディ本体１ａの内底面１ａｂ及び外底面１ａｃが滑らかな曲面を構成するように、厚み方向に湾曲している。底壁１ｃは、長手方向に沿った両端のうち、一方の端縁に第１側壁１ｄが設けられる。底壁１ｃは、短手方向に沿って、第１側壁１ｄが配置される。底壁１ｃは、長手方向に沿って、第２側壁１ｅが設けられる。底壁１ｃは、平面視において、短手方向の両端に一対の第２側壁１ｅが対向して配置される。底壁１ｃは、第１側壁１ｄと、一対の第２側壁１ｅとで囲まれる。
【００２１】
底壁１ｃは、一対の規制部１ｋを有している。一対の規制部１ｋそれぞれは、底壁１ｃの長手方向の他端部に設けられる。一対の規制部１ｋそれぞれは、平板状の外形形状をしている。一対の規制部１ｋは、底壁１ｃの厚み方向に沿って、ボディ本体１ａの内底面１ａｂから突出する。一対の規制部１ｋは、底壁１ｃの短手方向に沿って、所定の間隔を隔てて配置される。一対の規制部１ｋは、一対の第２側壁１ｅに挟まれるように、第２側壁１ｅと対向する。
【００２２】
第１側壁１ｄは、長尺に形成される。第１側壁１ｄは、矩形平板状の外形形状をしている。第１側壁１ｄの長手方向の長さは、底壁１ｃの短手方向の長さと同じ長さに形成される。第１側壁１ｄは、底壁１ｃの厚み方向に突出するように設けられる。第１側壁１ｄは、一対の第２側壁１ｅそれぞれよりも厚みが厚い。第１側壁１ｄは、図２、図３Ｃ、図３Ｅ及び図４に示すように、外表面に窪部１ｄａが形成される。
【００２３】
第１側壁１ｄは、図１に示すように、一対のボス１ｇを有する。一対のボス１ｇそれぞれは、円柱状の外形形状をしている。一対のボス１ｇそれぞれは、第１側壁１ｄにおける底壁１ｃと反対側に突出する。一対のボス１ｇは、第１側壁１ｄの長手方向に沿って、所定の間隔を隔てて配置される。言い換えれば、一対のボス１ｇは、筐体１の長手方向の両端部のうち、一端部に設けられる。
【００２４】
一対の第２側壁１ｅそれぞれは、長尺に形成される。各第２側壁１ｅは、矩形平板状の外形形状をしている。第２側壁１ｅは、第１側壁１ｄの長手方向の両端に設けられる。一対の第２側壁１ｅそれぞれの長手方向の長さは、底壁１ｃの長手方向の長さと同じ長さに形成される。一対の第２側壁１ｅと第１側壁１ｄとは、短手方向の長さが何れも等しい長さに形成される。一対の第２側壁１ｅそれぞれは、底壁１ｃの厚み方向に突出するように設けられる。一対の第２側壁１ｅは、互いに対向して配置される。
【００２５】
各第２側壁１ｅは、溝１ｅａと、爪１ｍとを有する。溝１ｅａは、ボディ本体１ａの外表面に設けられる。溝１ｅａは、第２側壁１ｅの長手方向に沿って、所定の間隔で設けられる。溝１ｅａは、第２側壁１ｅの短手方向に沿って、周囲から窪んで形成される。爪１ｍは、溝１ｅａから外方へ突出する。爪１ｍは、第２側壁１ｅにおける短手方向の一方の端部に配置される。
【００２６】
複数の第１リブ１ｈは、各第２側壁１ｅの短手方向に沿って、底壁１ｃから突出する。複数の第１リブ１ｈは、各第２側壁１ｅの長手方向に沿って、所定の間隔で配置される。複数の第１リブ１ｈのそれぞれは、角柱状の外形形状をしている。複数の第１リブ１ｈは、一対の第２側壁１ｅにおいて、対向するように設けられる。第１リブ１ｈは、ボディ本体１ａの機械的強度を高めることができる。
【００２７】
一対の取付部１ｂは、ボディ本体１ａにおける長手方向の中央部に設けられる。一対の取付部１ｂの各々は、ボディ本体１ａの短手方向に沿って、ボディ本体１ａから突出する。一対の取付部１ｂは、ボディ本体１ａから互いに反対方向に突出する。
【００２８】
一対の取付部１ｂの各々は、挿通部１ｐと、保持部１ｒと、を有する。挿通部１ｐは、円筒状の外形形状をしている。挿通部１ｐは、厚み方向に貫通する第１貫通孔１ｂａを有する。第１貫通孔１ｂａは、挿通部１ｐの中央部に設けられる。保持部１ｒは、挿通部１ｐをボディ本体１ａに保持する。保持部１ｒは、矩形平板状の外形形状をしている。保持部１ｒは、取付部１ｂの取付面１ｂｃと反対の表面側から窪んだ凹所１ｂｄを有する。一対の取付部１ｂは、例えば、挿通部１ｐの第１貫通孔１ｂａに挿通された挿通ねじにより、被取付面２１ａａにねじ止めされる。各取付部１ｂは、取付面１ｂｃが被取付面２１ａａと対向するように取り付けられる。一対の取付部１ｂは、ボディ本体１ａを被取付面２１ａａに取り付けるために利用される。
【００２９】
一対の取付部１ｂの各々は、凹所１ｂｄの深さ及び凹所１ｂｄの開口の大きさが適宜に設計されることで、被取付面２１ａａに対するボディ本体１ａの捩じれ易さを調整できる。一対の取付部１ｂは、挿通ねじにより、被取付面２１ａａにねじ止めされる構成だけに限られない。一対の取付部１ｂは、例えば、先端が鉤状に曲がった突起が被取付面２１ａａから突出している場合、鉤状の突起が挿通部１ｐの第１貫通孔１ｂａに挿通され、挿通部１ｐに引き掛けられるように構成されてもよい。
【００３０】
筐体１は、樹脂材料で形成される。筐体１の樹脂材料は、ＰＣ(Poly Carbonate)樹脂である。筐体１の樹脂材料は、ＰＣ樹脂だけに限られず、ＰＢＴ(Poly Butylene Terephthalate)樹脂、ＰＰ（polypropylene）樹脂、若しくは、ＡＢＳ（Acrylonitrile Butadiene Styrene）樹脂でもよい。筐体１は、筐体１の材料が適宜に選択されることで、筐体１の振動のし易さを調整できる。筐体１は、例えば、射出成形により形成される。筐体１は、ボディ本体１ａと取付部１ｂとを同じ樹脂材料で形成される。筐体１は、ボディ本体１ａと取付部１ｂとを同じ樹脂材料で形成される場合だけに限られず、ボディ本体１ａと取付部１ｂとが異なる樹脂材料で形成されてもよい。筐体１は、ボディ本体１ａと取付部１ｂとが異なる樹脂材料で形成される場合、２色成形により形成される。筐体１は、ボディ本体１ａと比較して取付部１ｂをより柔らかい樹脂材料で形成させることで、筐体１自体の振動を大きくできる。
【００３１】
回路基板２は、図１、図２及び図４に示すように、長尺に形成される。回路基板２は、矩形平板状の外形形状をしている。回路基板２は、配線と、配線を覆うように形成されるレジスト２ｄと、を有する。配線は、回路基板２の第１主面２ａａに形成される。配線は、回路基板２の第１主面２ａａと反対の第２主面２ａｂにも形成される。回路基板２の第１主面２ａａに形成された配線と、回路基板２の第２主面２ａｂに形成された配線とは、回路基板２の厚み方向に貫通する貫通配線によって、電気的に接続される。回路基板２は、図２に示すように、複数の回路素子２ｅが第２主面２ａｂに実装される。回路基板２は、配線により、複数の回路素子２ｅを相互に電気的に接続する。
【００３２】
回路基板２は、第１主面２ａａ及び第２主面２ａｂに平面コイル２ａが形成される。平面コイル２ａは、所定の形状の配線により形成される。平面コイル２ａは、渦巻き状に形成された配線で構成される。平面コイル２ａは、回路基板２における長手方向の一端部に形成される。配線は、複数の回路素子２ｅ及び平面コイル２ａを電気的に接続できるように、所定の形状に形成される。配線は、例えば、銅箔である。言い換えれば、回路基板２は、両面プリント配線板である。
【００３３】
レジスト２ｄは、回路基板２の第１主面２ａａ及び第２主面２ａｂに形成される。レジスト２ｄは、薄膜であり、図１及び図２にだけ図示している。レジスト２ｄは、配線の一部を除いて配線を覆うように、設けられる。レジスト２ｄは、電気絶縁性を有する。レジスト２ｄは、複数の回路素子２ｅを電気的に接続する配線同士の短絡を抑制する。レジスト２ｄは、回路基板２の絶縁耐圧を向上する。レジスト２ｄの樹脂材料としては、例えば、エポキシ樹脂、若しくはシリコーン樹脂が挙げられる。
【００３４】
回路基板２は、ガラスエポキシ樹脂基板である。回路基板２は、ガラスエポキシ樹脂基板だけに限られない。回路基板２は、例えば、セラミックス基板でもよい。回路基板２がセラミックス基板の場合、セラミックス基板の材料としては、例えば、アルミナ、若しくは窒化アルミニウムが挙げられる。
【００３５】
複数の回路素子２ｅは、図１、図２及び図４に示すように、回路基板２の中央部よりも、長手方向の一端部と反対の他端部寄りに設けられる。複数の回路素子２ｅは、相互に電気的に接続されて、振動検知回路を構成する。回路素子２ｅとしては、例えば、抵抗素子、コンデンサ及びトランジスタが挙げられる。
【００３６】
振動検知回路は、例えば、発振回路と、状態検出回路と、増幅回路と、比較回路と、を備える。発振回路は、励磁用の高周波を生成する。発振回路は、高周波を回路基板２に設けられた平面コイル２ａに供給する。平面コイル２ａは、振動子３に向けて、高周波磁束を発信する。振動子３では、高周波磁束の電磁誘導により、金属の表面に渦電流が生ずる。渦電流の大きさは、振動子３と平面コイル２ａとの距離により変化する。振動子３は、渦電流に起因する磁束を生じさせる。平面コイル２ａでは、振動子３で生じた渦電流に起因する磁束により、インピーダンスが変化する。振動検知回路では、インピーダンスが変化すると、高周波の発信振幅が変化する。
【００３７】
状態検出回路は、発信振幅の変化を検出し、直流化した信号を出力する。増幅回路は、状態検出回路からの信号を増幅する。増幅回路は、信号を増幅した検出信号を比較回路に出力する。比較回路は、検出信号と、予め設定された閾値と、を比較する。比較回路は、検出信号が閾値よりも大きい場合、出力信号を出力する。言い換えれば、振動検知回路は、振動子３が平面コイル２ａとの距離の変化が所定の距離以上であれば、オン状態となるセンサスイッチのスイッチ回路を構成する。センサスイッチは、一軸方向に対しての衝撃を、振動子３の揺れとして検知して検知信号を出力する。振動検知回路は、振動子３に生ずる渦電流を利用して振動を検知する構成だけに限られず、振動子３との間の静電容量を利用して振動子３の振動を検知する構成でもよい。
【００３８】
振動子３は、図１から図４に示すように、矩形平板の外形形状をしている。振動子３は、弾性を有する。振動子３は、回路基板２の厚み方向に変位できる。振動子３は、長手方向が筐体１の長手方向に沿って設けられる。振動子３は、回路基板２の平面コイル２ａと対応して配置される。振動子３と、回路基板２の平面コイル２ａとは、平面視において、互いに重なるように対向して配置される。
【００３９】
振動子３は、長手方向の一端部に一対の孔部３ｃｃを有する。一対の孔部３ｃｃは、振動子３の短手方向に沿って、所定の間隔を隔てて設けられる。各孔部３ｃｃは、振動子３の厚み方向に貫通する。孔部３ｃｃは、平面視において、円形に形成される。孔部３ｃｃは、平面視において、円形だけに限られず、楕円形、若しくは多角形など適宜の形状に形成される。各孔部３ｃｃは、内形がボス１ｇの外形より若干大きく形成される。振動子３は、孔部３ｃｃに挿入されたボス１ｇにより、筐体１の一端部に固定される。言い換えれば、振動子３は、長手方向の一端部が筐体１に固定された固定端である。振動子３は、長手方向の一端部と反対の他端部が振動する自由端である。振動子３は、長手方向の一端部に切欠部３ａｃを有している。切欠部３ａｃは、平面視において、振動子３の短手方向の両側から切り欠くように設けられている。振動子３は、切欠部３ａｃの切り込みの切り込み深さが適宜に設計されることで、変位幅が調整される。
【００４０】
振動子３は、導電性を有する。振動子３の材料は、導電性の高い材料が好ましい。振動子３は、金属材料により形成される。振動子３の金属材料は、例えば、銅である。振動子３の金属材料としては、銅だけに限られず、例えば、銅合金、鉄、真ちゅう、若しくはステンレスが挙げられる。振動子３は、表面がスズや銀でめっき処理されてもよい。振動子３は、金属板の打ち抜き加工及び折り曲げ加工により形成される。
【００４１】
接続端子４は、回路基板２の長手方向の他端部に設けられる。言い換えれば、接続端子４は、筐体１の長手方向における他端部に配置される。接続端子４は、回路基板２の第２主面２ａｂに実装される。接続端子４は、回路基板２の配線と電気的に接続される。接続端子４は、回路基板２の振動検知回路を駆動させる電力が外部の電線から入力される。接続端子４は、外部電源からの電力を回路基板２の回路素子２ｅへ給電する給電端子として機能する。接続端子４は、回路基板２の振動検知回路からの検知信号を外部の電線に出力する出力端子として機能する。接続端子４は、例えば、レセプタクルコネクタで構成される。レセプタクルコネクタは、先端にコネクタを有する外部の電線と、電気的かつ機械的に接続される。
【００４２】
蓋５は、図１から図４に示すように、カバー本体５ａと、４つの突出片５ｂと、を有する。蓋５は、筐体１の開口１ａａを塞ぐ。カバー本体５ａは、長尺に形成される。カバー本体５ａは、有底角筒状の外形形状をしている。カバー本体５ａは、底板５ｃと、第１側板５ｄと、一対の第２側板５ｅと、第３側板５ｆと、複数の第２リブ５ｈと、を有する。底板５ｃは、長尺に形成されている。底板５ｃは、矩形平板状の外形形状をしている。
【００４３】
底板５ｃは、長手方向の長さが第２側板５ｅの長手方向の長さと同じ長さに形成される。底板５ｃは、第１側板５ｄと、一対の第２側板５ｅと、第３側板５ｆとに囲まれる。底板５ｃは、長手方向に沿った両端のうち、一方の端縁に第１側板５ｄが設けられる。底板５ｃは、平面視において、矩形状の短辺に沿って第１側板５ｄが配置される。第１側板５ｄは、長尺に形成される。第１側板５ｄは、矩形平板状の外形形状をしている。第１側板５ｄは、底板５ｃの厚み方向に突出する。第１側板５ｄは、嵌合部５ｇを有する。嵌合部５ｇは、一対の収納孔５ｇａを有している。一対の収納孔５ｇａそれぞれは、筐体１におけるボス１ｇの外形よりも大きく形成される。一対の収納孔５ｇａは、対応するボス１ｇが収納される。言い換えれば、一対の嵌合部５ｇは、蓋５の長手方向に沿った両端部のうち、一端部に設けられる。
【００４４】
第２側板５ｅは、第１側板５ｄにおける長手方向の両端に設けられる。一対の第２側板５ｅそれぞれは、長尺に形成される。各第２側板５ｅは、矩形平板状の外形形状をしている。各第２側板５ｅは、底板５ｃの厚み方向に突出する。一対の第２側板５ｅは、互いに対向して配置される。
【００４５】
第３側板５ｆは、長尺に形成される。第３側板５ｆは、矩形平板状の外形形状をしている。第３側板５ｆは、底板５ｃの厚み方向に突出する。第３側板５ｆは、第１側板５ｄと対向して配置される。第３側板５ｆは、長手方向の長さが第１側板５ｄの長手方向の長さと同じ長さに形成される。第３側板５ｆは、短手方向の長さが第１側板５ｄの短手方向の長さよりも長く形成される。すなわち、第３側板５ｆは、第１側板５ｄよりも若干大きく形成される。
【００４６】
複数の第２リブ５ｈは、第１側壁１ｄの短手方向に沿って、底壁１ｃから突出する。複数の第２リブ５ｈは、第１側壁１ｄの長手方向に沿って、所定の間隔で配置される。複数の第２リブ５ｈのそれぞれは、角柱状の外形形状をしている。複数の第２リブ５ｈは、一対の第２側板５ｅにおいて、対向するように設けられる。第２リブ５ｈは、蓋５の機械的強度を高めることができる。
【００４７】
４つの突出片５ｂのうち、一対の突出片５ｂは、各第２側板５ｅの長手方向に沿って、所定の間隔を隔てて設けられる。各突出片５ｂは、底板５ｃの厚み方向に沿って、第２側板５ｅの端縁から底板５ｃと反対の外方へ突出する。各突出片５ｂは、長尺に形成される。各突出片５ｂは、矩形平板状の外形形状をしている。各突出片５ｂの長手方向の寸法は、筐体１における溝１ｅａの幅寸法よりも若干小さい。各突出片５ｂの厚みは、筐体１における溝１ｅａの深さ寸法よりも若干小さい。各突出片５ｂの短手方向の寸法は、筐体１における第２側壁１ｅの短手方向の寸法よりも小さい。各突出片５ｂは、厚み方向に貫通する第２貫通孔５ｂｃを有する。第２貫通孔５ｂｃは、矩形状に形成される。第２貫通孔５ｂｃは、爪１ｍの外形よりも若干大きく形成される。第２貫通孔５ｂｃは、図３Ｄに示すように、爪１ｍが挿通される。蓋５と筐体１とは、突出片５ｂの第２貫通孔５ｂｃに、筐体１の爪１ｍが挿通されることで、嵌め合される。
【００４８】
言い換えれば、蓋５は、筐体１の爪１ｍと対応する突出片５ｂが設けられる。筐体１は、蓋５が筐体１の開口１ａａを塞いだ状態で、爪１ｍが突出片５ｂに設けられた貫通孔５ｂａに引っ掛かる。蓋５が筐体１の開口１ａａを塞いだ状態で、図３Ｄ及び図３Ｅに示すように、突出片５ｂが溝１ｅａに収容される。蓋５と筐体１とは、蓋５が筐体１の開口１ａａを塞いだ状態で、全体として直方体状の外形形状をしている。筐体１と蓋５とは、蓋５が筐体１の開口１ａａを塞いだ状態で、図３Ｂに示すように、振動センサ１０の長手方向における他端部に開口孔１０ａｃを構成する。開口孔１０ａｃは、振動センサ１０の内部と外部とが連なるように構成される。開口孔１０ａｃは、角筒状の外形形状をしている。開口孔１０ａｃは、接続端子４の一部を外部に露出させる。
【００４９】
蓋５は、樹脂材料で形成される。蓋５の樹脂材料は、ＰＣ樹脂である。筐体１の樹脂材料は、ＰＣ樹脂だけに限られず、ＰＢＴ樹脂、ＰＰ樹脂、若しくは、ＡＢＳ樹脂でもよい。蓋５は、筐体１と同じ材料で形成されてもよいし、異なる材料で形成されてもよい。蓋５は、筐体１と異なる材料で形成される場合、筐体１よりも強度の高い材料が好ましい。
【００５０】
以下では、振動センサ１０の組立工程について説明する。
【００５１】
筐体１及び蓋５は、例えば、射出成形によりそれぞれ形成される。回路基板２が筐体１の内部に収納される。ボディ本体１ａは、回路基板２に実装された接続端子４が底壁１ｃに対向するように、回路基板２が収納される。組立工程では、ボディ本体１ａの底壁１ｃから突出する第１リブ１ｈの載置面１ｈａに、回路基板２が載せ置かれる。第１リブ１ｈの載置面１ｈａは、回路基板２の第２主面２ａｂと当たる。接続端子４は、底壁１ｃから突出する規制部１ｋと当たる。規制部１ｋは、接続端子４をボディ本体１ａの内部に押し込む力が加わった際に、接続端子４の移動を規制する。
【００５２】
筐体１は、収容された回路基板２の平面コイル２ａを覆うように、振動子３が配置される。振動子３は、一対の孔部３ｃｃそれぞれに対応するボス１ｇが挿入される。一対のボス１ｇそれぞれは、振動子３が挿入された状態で、先端部が熱変形によりかしめられる。振動子３は、ボス１ｇの先端部が熱変形により、かしめられることで、筐体１に取り付けられる。次に、組立工程では、蓋５が筐体１に被せられる。蓋５が筐体１の開口１ａａを塞ぐように、筐体１の爪１ｍが蓋５の突出片５ｂに引き掛かけられる。蓋５が筐体１に被せられた状態で、先端がかしめられたボス１ｇが嵌合部５ｇに収納される。蓋５が筐体１に被せられた状態で、ボディ本体１ａの第１リブ１ｈと、対向するカバー本体５ａの第２リブ５ｈとの間で、回路基板２が挟まれる。第２リブ５ｈの当接面５ｈａは、回路基板２の第１主面２ａａと当たる。振動子３と回路基板２とが、筐体１の内部において対向して配置されることで、振動センサ１０が形成される。
【００５３】
以下では、本実施形態の振動センサ１０が比較例の振動センサと比較して、比較的に簡単な構成で、よりセンサ感度を高くできることについて説明する。比較例の振動センサは、筐体の外底面全体及び取付部の取付面が被取付面と接するように、底壁の外底面が平坦な平面に形成される以外、本実施形態の振動センサ１０と同様の構成をしている。
【００５４】
ところで、比較例の振動センサは、底壁の外底面が平坦な平面に形成されるので、振動センサが取り付けられる被取付面を有する本体に衝撃が加わった際、本体と一体的にしか振動できない。比較例の振動センサは、衝撃が加わった際、ボディ本体が被取付面に対して揺れないので、被取付面の振動が収束するのと同時にボディ本体の振動が収束する。
【００５５】
本実施形態の振動センサ１０は、ボディ本体１ａの外底面１ａｃが、取付部１ｂから長手方向に沿った両端縁に向かうほど被取付面２１ａａから離れるように凸状に湾曲する構成により、衝撃が加わった際、ボディ本体１ａが被取付面２１ａａに対して揺れる。振動センサ１０は、衝撃が加わった際にボディ本体１ａが被取付面２１ａａに対して揺れることで、被取付面２１ａａの振動が収まった後でも、ボディ本体１ａの振動が持続する。振動センサ１０は、被取付面２１ａａの振動が収まった後でも、ボディ本体１ａの振動が持続するので、振動子３へ衝撃を伝え易くでき、よりセンサ感度を高くできる。振動センサ１０は、筐体１が射出成形により形成される場合、筐体１の切込口１ｃｃの大きさが適宜に設計されることで、成形品のヒケを利用して凸状に湾曲する曲面の曲がりを調整できる。
【００５６】
本実施形態の振動センサ１０は、振動子３の振動を示す信号を電気的に増幅させる場合、増幅率のより少ない比較的簡単な振動検知回路を利用できる。本実施形態の振動センサ１０は、振動子３の振動を示す信号を電気的に増幅させることなく、比較的に簡単な構成で、センサ感度を高くできる。本実施形態の振動センサ１０は、衝撃を振動子３へ機械的に伝え易くできるので、外部からの電磁波の影響を受け難くできる。
【００５７】
本実施形態の振動センサ１０は、接続端子４を備える。接続端子４は、筐体１の外部の電線と電気的に接続される。接続端子４は、振動検知回路からの検知信号を電線に出力する。接続端子４は、筐体１の長手方向における一端部と反対の他端部に配置される。筐体１と回路基板２と振動子３と接続端子４とを含む全体の重心は、平面視において、筐体１の長手方向の中央よりも他端部寄りに存在することが好ましい。図３Ａでは、筐体１と回路基板２と振動子３と接続端子４に蓋５を加えた振動センサ１０全体における重心の位置を、点Ｇで例示している。図３Ａでは、筐体１の長手方向の中央の位置を、点Ｏで例示している。
【００５８】
本実施形態の振動センサ１０は、振動センサ１０全体の重心が、平面視において、筐体１の長手方向の中央よりも他端部寄りに存在するので、衝撃が加わった際にボディ本体１ａを揺れ易くすることで、よりセンサ感度を高めることができる。
【００５９】
振動センサ１０は、筐体１における接続端子４の配置を適宜に設計されることで、振動センサ１０全体の重心を調整できる。振動センサ１０は、回路基板２に実装される回路素子２ｅの配置が適宜に設計されることで、振動センサ１０全体の重心を調整できる。振動センサ１０は、第１側壁１ｄの窪部１ｄａの大きさを適宜に設計されることで、振動センサ１０全体の重心を調整できる。
【００６０】
本実施形態の振動センサ１０は、例えば、遊戯機２０に取り付けられる。以下では、振動センサ１０を備えた遊戯機２０の構成について簡単に説明する。
【００６１】
遊戯機２０は、パチンコ台である。パチンコ台は、長尺に形成される。パチンコ台は、矩形平板状の外形形状をしている。パチンコ台は、第１皿２２と、第２皿２３と、操作ハンドル２５と、表示装置２６と、を備える。第１皿２２は、前面側に払い出されたパチンコ球を貯留する。第１皿２２は、発射位置にパチンコ球を供給する。第２皿２３は、第１皿２２の鉛直方向の下方に設けられる。第２皿２３は、第１皿２２に供給しきれなかったパチンコ球を貯留する。操作ハンドル２５は、弾発力を調整しながらパチンコ球を遊戯盤２４上へ打ち込むことができるように構成される。振動センサ１０は、図５に示すように、遊戯盤２４の背面に隠れている。振動センサ１０は、パチンコ台の本体２１における長手方向の一端部に取り付けられる。振動センサ１０は、第１貫通孔１ｂａを挿通するねじにより、本体２１にねじ止めされる。遊戯機２０は、振動センサ１０の接続端子４と、本体２１に設けられたコネクタとが電気的に接続される。
【００６２】
遊戯機２０では、例えば、苛立った遊技者がパチンコ台を殴打する迷惑行為、若しくは遊技者がパチンコ台を殴打することで遊戯玉の軌跡を変更する不正行為が行われる場合がある。遊戯機２０では、パチンコ台に何らかの衝撃が加えられた場合、振動センサ１０が衝撃を検出する。振動センサ１０は、パチンコ台への衝撃に伴って、揺れる。振動センサ１０は、一対の取付部１ｂからボディ本体１ａの長手方向に沿った両端縁に向かうほど、外底面１ａｃとパチンコ台の本体２１における被取付面２１ａａとの間に隙間が形成されるので、振動子３へ衝撃を伝え易い。振動センサ１０は、外部からの衝撃により、振動子３が厚み方向に振動する。振動センサ１０は、振動子３が厚み方向に振動することで、振動検知回路から検知信号が出力される。遊戯機２０では、振動センサ１０から出力された検知信号に基づいて、表示装置２６にエラー報知を行う。表示装置２６は、例えば、光源の点滅及び音声表示でエラー報知を行う。遊戯機２０は、表示装置２６にエラー報知を行う構成だけに限られず、遊戯機２０の外部に設けられた外部機器へエラー報知を行う構成でもよい。
【００６３】
すなわち、本実施形態に係る遊戯機２０は、振動センサ１０と、本体２１と、を備える。本体２１は、振動センサ１０が取り付けられる。
【００６４】
本実施形態に係る遊戯機２０は、比較的簡単な構成で、よりセンサ感度の高い実施形態１の振動センサ１０を備えた構成に形成される。
【００６５】
遊戯機２０は、パチンコ台だけに限られず、スロット台の他、各種のゲーム機であってもよい。振動センサ１０は、遊戯機２０に取り付けられる場合だけに限られず、自動販売機、若しくは券売機に取り付けられてもよい。振動センサ１０は、自動販売機、若しくは券売機に取り付けられた場合でも、人が故意に行う衝撃を検出することで、迷惑行為及び不正行為の監視に利用できる。
【００６６】
（実施形態２）
図６に示す本実施形態の振動センサ１０は、実施形態１の突出片５ｂの代わりに固定部５ｓを備え、筐体１の外底面１ａｃの曲率を変更できるように構成した点が、実施形態１の振動センサ１０と主として相違する。実施形態１と同様の構成には、同一の符号を付して重複する説明を省略する。
【００６７】
本実施形態の振動センサ１０は、図６に示すように、蓋５を備える。蓋５は、ボディ本体１ａの開口１ａａを覆う。蓋５は、筐体１に固定される一対の固定部５ｓを有している。
【００６８】
一対の固定部５ｓは、平面視において、対応する一対の取付部１ｂと重複して配置される。
【００６９】
本実施形態の振動センサ１０は、一対の固定部５ｓが、対応する一対の取付部１ｂと重複して配置されることで、衝撃が加わった際にボディ本体１ａの揺れを妨げないように、蓋５を筐体１に固定できる。
【００７０】
さらに、本実施形態の振動センサ１０は、ねじ６を備える。ねじ６は、一対の固定部５ｓと、対応する一対の取付部１ｂと、をねじ止めする。蓋５は、平板状の外形形状をしている。蓋５は、ボディ本体１ａの開口１ａａを覆った状態で、ボディ本体１ａの両端縁と当たる。蓋５は、ボディ本体１ａの開口１ａａを覆った状態で、ボディ本体１ａの中央部との間に隙間１ａｄを形成する。蓋５は、ねじ６のねじ締めにより、一対の固定部５ｓと一対の取付部１ｂとの距離に応じて、ボディ本体１ａにおける外底面１ａｃの曲率を変更することが好ましい。
【００７１】
一対の固定部５ｓは、ねじ６により、蓋５を筐体１に固定させるので、実施形態１における蓋５の突出片５ｂと筐体１の爪１ｍとで蓋５を筐体１に固定させる場合と比較して、固定の信頼性をより高めることができる。
【００７２】
本実施形態の振動センサ１０では、固定部５ｓと取付部１ｂとの距離に応じて、外底面１ａｃの曲率が変更するので、被取付面２１ａａに対するボディ本体１ａの振動幅を調整できる。振動センサ１０は、例えば、蓋５及び筐体１を被取付面２１ａａに取り付けるねじ６のねじ締め位置に応じて、ボディ本体１ａの振動幅を調整できる。
【００７３】
ここで、外底面１ａｃの曲率は、例えば、レーザ光を利用した曲率測定装置を用いて測定することができる。外底面１ａｃの曲率は、振動センサ１０の側面視において、取付部１ｂを中心とする曲率を計測すればよい。
【００７４】
以下では、外底面１ａｃの曲率の調整工程について、簡単に説明する。
【００７５】
本実施形態の振動センサ１０では、図７Ａに示すように、一対の取付部１ｂと、対応する一対の固定部５ｓとが重なるように、蓋５が筐体１に被せられる。その後、図７Ｂに示すように、一対の取付部１ｂと、対応する一対の固定部５ｓとを、ねじ６により被取付面２１ａａにねじ止めされる。振動センサ１０は、蓋５が筐体１に被せられた状態で、ボディ本体１ａの長手方向に沿った両端縁が蓋５と当たる。振動センサ１０は、蓋５が筐体１に被せられた状態で、ボディ本体１ａの長手方向に沿った中央部に隙間１ａｄができる。振動センサ１０は、一対の取付部１ｂと、対応する一対の固定部５ｓとが重なった状態で、ねじ６により本体２１にねじ締めを増せば、図７Ｂの白抜きの矢印の向きにボディ本体１ａが変形する。振動センサ１０は、ねじ６により本体２１にねじ締めを増やせば、ボディ本体１ａの長手方向に沿った中央部に形成されるボディ本体１ａと蓋５との間の隙間１ａｄが小さくなる。振動センサ１０は、ボディ本体１ａの変形により、図７Ｃに示すように、外底面１ａｃの曲率が図７Ｂと比較して大きくなる。図７Ｃに示す振動センサ１０は、図７Ｂに示す振動センサ１０と比較して、ボディ本体１ａの振動幅を小さくできる。振動センサ１０は、ねじ締めを緩めれば、外底面１ａｃの曲率が小さくなるので、ボディ本体１ａの振動幅を大きくできる。
【００７６】
本実施形態の振動センサ１０は、実施形態１の振動センサ１０と同様に、遊戯機２０に搭載できる。
【００７７】
本発明は、上述の実施形態だけに限定されず、本発明に係る技術的思想を逸脱しない範囲で、種々変更することができる。
【符号の説明】
【００７８】
１  筐体
１ａ  ボディ本体
１ａａ  開口
１ａｂ  内底面
１ａｃ  外底面
１ｂ  取付部
１ｂｃ  取付面
２  回路基板
３  振動子
４  接続端子
５  蓋
５ｓ  固定部
１０  振動センサ
２０  遊戯機
２１  本体
２１ａａ  被取付面
【図１】
2018031673.tif 000003
【図２】
2018031673.tif 000004
【図３】
2018031673.tif 000005
【図４】
2018031673.tif 000006
【図５】
2018031673.tif 000007
【図６】
2018031673.tif 000008
【図７】
2018031673.tif 000009